(57)【要約】【課題】大きな空間に、迅速にプライベートな小空間を形成するために、簡単、安価かつ軽量な間仕切りユニットを提供する。【解決手段】間仕切りユニット１を連続した１枚の間仕切り板２で作成し、間仕切り板２自体を折ることによって、間仕切り板同士を連結する手間を不要とし、また、固定フレーム３を上下部直線やコーナー部分に設置して、形状を維持補強する。【選択図】図１
2006274801.tif 000002
【特許請求の範囲】
【請求項１】
間仕切り板を屏風のように形成し間仕切り板が自立すること、前記間仕切り板は連続した一連の段ボール板であり、前記間仕切り板自体を曲げることにより連結器具等を使用しないことを特徴とする間仕切りユニット。
【請求項２】
コ字状の溝部が形成され、前記溝部を間仕切り板の上辺あるいは下辺に嵌入させて使用する固定フレームと、二枚の間仕切り板どうしを合わせるための、コ字状の溝部が形成され、前記溝部を間仕切り板の上辺あるいは下辺に嵌入させて使用する固定フレームとを備えたことを特徴とする請求項１に記載の間仕切りユニット。
【発明の詳細な説明】
【技術分野】
【０００１】  本発明は、災害などの緊急時や、一時的なイベント時に、体育館や公民館、グランドや公園などの大きな空間を、間仕切りユニットによって、迅速、簡単かつ安価にてプライベートな小空間を形成できるようにしたものである。
【背景技術】
【０００２】  従来技術として、間仕切り板の周囲に金属パイプなどで枠を設け、連接する間仕切り板の枠の上下角に形成された連結ねじにジョイントをねじ止めして連結する方法（特許文献１）、間仕切り板を溝条凹部を背中合わせに組み合わせ、かつ下端に立脚のためのベースを設けたフレームを用いて連結する方法（特許文献２）、直線状、Ｌ字状、Ｔ字状、十字状に成型したジョイントにより、間仕切り板の上下端を挟みこんで連結する方法（特許文献３）などがある。【０００３】
【特許文献１】特開平０７−２７９２８２号公報
【特許文献２】特開平０８−３０２８６８号公報
【特許文献３】特開２００３−０４９５０２号公報
【発明の開示】
【発明が解決しようとする課題】
【０００４】  従来技術はいずれも、間仕切り板自体を曲げることが予定されていないので、例えば四面壁のある空間をつくるには、少なくとも四ヶ所をフレームやジョイントなどにより連結する必要がある。しかし、特許文献１の従来技術のように、間仕切り板に枠と連結ねじを形成し、ジョイントをねじ止めする構成の間仕切りユニットは全体の重量が重くなり、連結部分で折れ曲がりやすいという欠点がある。また、特許文献２や特許文献３の従来技術のように、フレームや溝型継手をはめこんで間仕切り板を連結する構成の間仕切りユニットは、ちょっとした力の作用でジョイント部分から間仕切り板が簡単に外れてしまうなどの欠点がある。【０００５】  また、従来技術はいずれも、その組立てや分解の作業に専門技術を必要とし、また、製作コスト、材料コストも決して安価ではない。また、コスト面と安全性から、間仕切り板として段ボール板などを利用することは、前述の従来技術のように既に検討されていることではあるが、簡易なジョイント器具では連結部分の強度が不足するので、一般に普及している１重や２重の段ボール板を自立させることが難しく、従ってジョイント部分を何らかの器具で特に強化するか、もしくは段ボール板自体をより強いもの（強化段ボール板など）にする必要があり、それではコスト面で段ボール板を使う利点が十分に生かされない。【０００６】  本発明は、とくに災害時のみに限定されるものではないが、災害時に体育館や公民館などを避難場所とする場合の、被災者のプライバシー確保のために、必要な数の小空間を効率的に簡単かつ迅速に形成することができる。
【課題を解決するための手段】
【０００７】  本発明の間仕切りユニットは、間仕切り板自体を曲げることにより、連結器具等を使用せずに小空間を形成できる。また、本発明の間仕切りユニットは、連続した一連の間仕切り板からできており、あらかじめ間仕切り板を屏風のように形成することにより、収納および運搬を容易にし、またその組立てや分解の作業においても、専門技術を必要としない。なお、前記連続した一連の間仕切り板とは、切り目や継ぎ目のない１枚の板からなる一連の間仕切り板および、接着剤や粘着テープ、ホッチキス止めなどで強固につぎ合わせ一体化した、複数枚の板からなる一連の間仕切り板を含む。【０００８】  従来技術では何らかの器具やフレームを用いて連結となっているコーナー部分が、本発明の間仕切りユニットでは連続した板でできていることにより、従来技術の連結部分と比べてコーナー部分の強度が格段に増すので、プラスチックや強化段ボール板などではなく、より安価な段ボール板にて間仕切り板を作製できる。また、間仕切り板を屏風のように形成することにより、自立する間仕切りユニットを作製できる。また、間仕切り板の上部、または下部、もしくは双方に、直線状、Ｌ字状等の固定フレームを嵌入させることにより、角や側面が一定の形を保つようにする。【０００９】  本発明の間仕切りユニット複数個を使用する場合には、固定フレームで二空間が接する面の２枚の間仕切り板の上部、または下部、もしくは双方を嵌入させる。これにより、小空間を効率よく配置できるだけでなく、隣接する位地にある間仕切り同士が互いを支持し、より強度に作用するものとなる。【００１０】  また、本発明の間仕切りユニットにおいて、前記間仕切り板は段ボール板である。前記固定フレームはプラスチックであり、Ｌ字状および直線状がある。
【発明の効果】
【００１１】  本発明の間仕切りユニットによれば、間仕切り板どうしを連結する手間が不要であり、専門技術を要せずに組立てや分解の作業をすることが可能となり、また、間仕切り板どうしをどのように連結するのかなど悩む必要もなくなるので、だれでも安易に形成できる。また、あらかじめ間仕切り板を屏風のように形成することにより、収納および運搬を容易にし、しかも、強度が増すので汎用の安価な段ボール板にて作製できるので、軽量化、低コスト化を図ることができる。
【実施例１】
【００１２】  図１は、本発明の間仕切りユニット１の使用状態を示す斜視図であり、図２は、本発明の間仕切り板２を収納した図である。【００１３】  本発明の間仕切りユニット１で三畳大の小空間を区画形成する場合、間仕切りユニット１は、いわゆる３×６判（約１畳大）段ボール板９枚分の大きさからなる、縦横を約１８０ｃｍ×８１０ｃｍとする一連の間仕切り板２と、Ｌ字状および直線状の固定フレーム３ａ３ｂからなる。実施例１の間仕切り板２を収納した場合、本発明の間仕切り板を収納した図２は、３×６判の大きさとなる。
【実施例２】
【００１４】  本発明の間仕切りユニット１で四畳半大の小空間を区画形成する場合、間仕切りユニット１は、３×６判（約１畳大）段ボール板１１枚分の大きからなる、縦横を約１８０ｃｍ×９９０ｃｍとする一連の間仕切り板２と、Ｌ字状および直線状の固定フレーム３ａ３ｂからなる。実施例２の間仕切り板２を収納した場合、本発明の間仕切り板を収納した図２は、３×６判の大きさとなる。
【実施例３】
【００１５】  本発明の間仕切りユニット１で六畳大の小空間を区画形成する場合、間仕切りユニット１は、３×６判（約１畳大）段ボール板１３枚分の大きさからなる、縦横を約１８０ｃｍ×１１７０ｃｍとする一連の間仕切り板２と、Ｌ字状および直線状の固定フレーム３ａ３ｂからなり、実施例３の間仕切り板２を収納した場合、本発明の間仕切り板を収納した図２は、３×６判の大きさとなる。
【実施例４】
【００１６】  図３は、本発明の間仕切りユニット１を複数個使用して大きな空間を小空間に間仕切る場合の、固定方法を示した図である。本発明の間仕切りユニット１どうしを連結するには、直線状の固定フレーム３ｃを使用する。なお、２枚の間仕切り板を嵌入させるため、固定フレーム３ｃは、１枚の間仕切り板を嵌入させる固定フレーム３ｂよりも、幅広に形成する。【００１７】  本発明の間仕切りユニット１の、実施例１から４までいずれの場合においても、直線状の固定フレーム３ｂ、３ｃの長さは、屏風折り収納した場合の短辺である９０ｃｍより長く、長辺である１８０ｃｍより短く形成する。
【図面の簡単な説明】
【００１８】
【図１】  本発明の間仕切りユニットの使用状態を示す斜視図
【図２】  本発明の間仕切り板を収納した図
【図３】  本発明の間仕切りユニット複数個を使用する場合に、固定フレームを二空間が接する面の上下部に配置した図
【図４】  固定フレームの図
【符号の説明】
【００１９】  １  間仕切りユニット
２  間仕切り板
３  固定フレーム
３ａ  Ｌ字の固定フレーム
３ｂ  直線の固定フレーム  間仕切り板１枚用
３ｃ  直線の固定フレーム  間仕切り板２枚用
【図１】
2006274801.tif 000003
【図２】
2006274801.tif 000004
【図３】
2006274801.tif 000005
【図４】
2006274801.tif 000006